(57)【要約】【課題】筐体の側面または端面から電池パックを挿脱できる構造を有し、且つ、筐体にデザイン上の制約を課さずに、電池パックを強固に保持することのできる携帯端末装置を提供すること。【解決手段】この携帯端末装置は、電池収容部を有する筐体と、前記筐体に設けられ、電池パックを厚み方向に垂直な向きで挿入可能な差込口と、前記差込口に差し込み可能なストッパー部品と、を具備し、前記ストッパー部品は、前記電池パックが前記電池収容部の奥まで挿入された状態で、前記差込口の内壁に係止されて前記電池パックの位置を規制する構成を採る。【選択図】図１
2014209425.tif 000002
【特許請求の範囲】
【請求項１】
電池収容部を有する筐体と、
前記筐体に設けられ、電池パックを厚み方向に垂直な向きで挿入可能な差込口と、
前記差込口に差し込み可能なストッパー部品と、
を具備し、
前記ストッパー部品は、前記電池パックが前記電池収容部の奥まで挿入された状態で、前記差込口の内壁に係止されて前記電池パックの位置を規制する、
携帯端末装置。
【請求項２】
前記ストッパー部品にはアンテナが設けられ、
前記筐体の内部には電気回路が搭載され、
前記ストッパー部品が前記差込口に差し込まれたときに、前記アンテナと前記電気回路の接点とが電気的に接続される、
請求項１記載の携帯端末装置。
【請求項３】
前記ストッパー部品は、前記電池パックと連結する連結部を有し、
前記ストッパー部品は、前記連結部の連結により前記電池パックを伴って前記差込口から引き出し可能である、
請求項１記載の携帯端末装置。
【請求項４】
前記連結部は、
前記差込口からの引出方向に対して前記電池パックと係合し、前記引出方向と異なる方向の変位により前記電池パックと分離する構造を有する、
請求項３記載の携帯端末装置。
【請求項５】
前記ストッパー部品は、前記差込口から引き出す際に指を掛けることが可能な指掛部を有する、
請求項１記載の携帯端末装置。
【請求項６】
前記ストッパー部品は、前記差込口の内壁との係止を解除できるレバーを有し、
前記レバーに前記指掛部が設けられている、
請求項５記載の携帯端末装置。
【請求項７】
前記ストッパー部品には、装置の情報が記された情報標記部が付加され、
前記携帯端末装置は、
前記ストッパー部品と前記筐体とを可動状態に且つ切り離し不可に連結する筐体連結部
を更に具備する、
請求項１記載の携帯端末装置。
【請求項８】
前記筐体の端部で前記ストッパー部品を覆うキャップ部品と、
前記ストッパー部品と前記キャップ部品とを連結する連結ピンと、
を更に具備する、
請求項１記載の携帯端末装置。
【請求項９】
前記筐体の端部で前記ストッパー部品を覆うキャップ部品と、
前記差込口の内壁に設けられた係止溝と、
前記ストッパー部品に設けられて前記係止溝に係止される係止爪と、
前記ストッパー部品に設けられて前記係止爪を出し入れするレバーと、
を有し、
前記キャップ部品は、
前記レバーの移動を制限するリブを有する、
請求項１記載の携帯端末装置。
【請求項１０】
前記ストッパー部品は、電池引き出しフックを有し、
前記ストッパー部品は、前記電池引き出しフックを前記電池パックに引掛けることにより前記電池パックを伴って前記差込口から引き出し可能である、
請求項１記載の携帯端末装置。
【請求項１１】
前記電池引き出しフックは、電池挿脱方向と平行な方向にのみ移動可能な軸と、
前記軸に導通する電極を具備し、
前記アンテナと前記電気回路とが電気的に接続される、
請求項１記載の携帯端末装置。
【発明の詳細な説明】
【技術分野】
【０００１】
本発明は、電池パックが内蔵される携帯端末装置に関する。
【背景技術】
【０００２】
従来、所謂スマートフォンなど、前面に表示パネルを有する携帯端末装置がある。また、このような携帯端末装置において、装飾上または強度確保上の観点から、背面にもパネルが設けられることがある。このような構成では、筐体背面から電池パックを挿脱することが困難になるため、筐体の側面または端面から電池パックを挿脱（挿入および引き出し）する構成が採用される。
【０００３】
従来、筐体の側面または端面から電池パックを挿脱する構造を有する電子機器について、幾つか提案されている（例えば、特許文献１〜４を参照）。
【先行技術文献】
【特許文献】
【０００４】
【特許文献１】特開２０００−２９４２０８号公報
【特許文献２】特開２００４−２９６９５７号公報
【特許文献３】特許第３４５１２４８号公報
【特許文献４】特許第４３６６１７４号公報
【発明の概要】
【発明が解決しようとする課題】
【０００５】
筐体の側面または端面から電池パックを挿脱する構造では、電池パックの取り出し口の強度確保が難しいという課題がある。例えば、特許文献１の構造のように、電池パックが筐体の中で可動する構造を有していると、筐体に縦方向の衝撃が加わったときに、電池パックが動いて、電池パックが容易に装置から外れてしまう恐れがある。また、特許文献３、４には、電池パックの固定構造についての開示がなく、電池パックの固定構造は衝撃に弱いと考えられる。
【０００６】
また、特許文献２に開示のように、電池パックの取り出し口の周辺に、堅牢な固定具を設けた場合、取り出し口の周辺に厚み又はでっぱりが必要となるなど、装置が大型化し、デザイン上の制約が生じるという課題がある。
【０００７】
本発明の目的は、筐体の側面または端面から電池パックを挿脱できる構造を有し、且つ、筐体にデザイン上の制約を課さずに、電池パックを強固に保持することのできる携帯端末装置を提供することである。
【課題を解決するための手段】
【０００８】
本発明の一態様に係る携帯端末装置は、電池収容部を有する筐体と、前記筐体に設けられ、電池パックを厚み方向に垂直な向きで挿入可能な差込口と、前記差込口に差し込み可能なストッパー部品と、を具備し、前記ストッパー部品は、前記電池パックが前記電池収容部の奥まで挿入された状態で、前記差込口の内壁に係止されて前記電池パックの位置を規制する、構成を採る。
【発明の効果】
【０００９】
本発明によれば、電池パックを厚み方向に垂直な向きで挿脱可能とする構成を備え、且つ、筐体にデザイン上の制約を課すことなく、電池パックを強固に保持することが可能となる。
【図面の簡単な説明】
【００１０】
【図１】本発明の実施の形態１の携帯端末装置を示す分解斜視図
【図２】実施の形態１のストッパー部品を、背面側を上にして見た斜視図
【図３】実施の形態１のストッパー部品を、正面側を上にして見た斜視図
【図４】実施の形態１のストッパー部品の電池パックに対向する側を示す斜視図
【図５】電池パックの連結側を手前にして見た斜視図
【図６】実施の形態１のストッパー部品と電池パックとの連結部分を示す横断面図
【図７】実施の形態１のストッパー部品の接点周辺を示す縦断面図
【図８】実施の形態１のストッパー部品の係止爪の周辺を示す縦断面図
【図９】実施の形態１のストッパー部品の係止が解かれた状態を示す縦断面図
【図１０】実施の形態１のストッパー部品と筐体枠部との連結構造を示す横断面図
【図１１】変形例におけるキャップ部品とストッパー部品との分解斜視図
【図１２】変形例におけるキャップ部品の固定構造を示す斜視図
【図１３】変形例におけるキャップ部品の連結ピンの収容状態を示す横断面図
【図１４】実施の形態２のストッパー部品の周辺を示す横断面図
【図１５】実施の形態２のストッパー部品と電池パックとの係合部分を示す横断面図
【図１６】実施の形態２のストッパー部品の係止爪の周辺を示す縦断面図
【図１７】実施の形態２のストッパー部品の係止が解かれた状態を示す縦断面図
【図１８】実施の形態３のストッパー部品を、正面側を上にして見た斜視図
【図１９】実施の形態３の電池引き出しフックを、正面側を上にして見た斜視図
【図２０】実施の形態３のストッパー部品の接点周辺を示す縦断面図
【図２１】実施の形態３のストッパー部品の電池引き出しフック周辺を示す横断面図
【発明を実施するための形態】
【００１１】
以下、本発明の各実施の形態について図面を参照して詳細に説明する。
【００１２】
（実施の形態１）
＜全体構成＞
図１は、本発明の実施の形態１の携帯端末装置を示す分解斜視図である。以下では、表示パネル８０が配置される側を装置正面、差込口２１が配置される側を装置底面として、説明を行う。図１は、装置正面を下方、装置背面を上方に向けて分解した状態を示している。
【００１３】
実施の形態１の携帯端末装置１は、筐体背面となる背面パネル１０と、筐体枠部２０と、回路等が搭載される基板５０と、電池パック６０と、補強板７０と、表示パネル８０と、ストッパー部品３０と、キャップ部品４０とを備えている。
【００１４】
筐体枠部２０は、装置の上下左右を囲う枠状の部材であり、例えば樹脂から構成されている。筐体枠部２０は、背面（図１の上方）および正面（図１の下方）が開口され、底面側（図１の斜め前方）に電池パックを挿入する差込口２１が設けられている。
【００１５】
背面パネル１０は、強度が高く、装飾が施されたパネルであり、筐体枠部２０の背面開口周縁の台座２０ａに固着される。
【００１６】
表示パネル８０は、透明なパネル８１の裏面に表示層８２（例えば、液晶表示層、バックライト層など）が設けられたパネルである。パネル８１は、筐体枠部２０の正面開口周縁の台座に固着される。
【００１７】
特に制限されないが、この実施の形態では、筐体枠部２０に背面パネル１０と表示パネル８０とが固定された構成が、内部に部品が収容される筐体となる。
【００１８】
基板５０は、無線通信回路、演算処理回路、レシーバ＆マイク、各種センサ、各種インターフェース、および、各種の機能モジュール等を搭載している。基板５０は、電池パック６０と一部が重なる寸法を有し、背面パネル１０の近傍に配置されて、筐体枠部２０に固定される。
【００１９】
補強板７０は、表示パネル８０の背面を保護し、且つ、装置の剛性を高くする部材であり、例えば板金から構成されている。補強板７０は、表示パネル８０の近傍に配置されて、筐体枠部２０に固定される。特に制限されないが、補強板７０には、電池パック６０の片側を保持する保持枠７１が形成されている。保持枠７１は、その形状により、電池パック６０を挿脱方向にスライド自在とし、それ以外の方向に対して電池パック６０を拘束する。補強板７０は、シャーシーとも呼ばれる。
【００２０】
電池パック６０は、筐体枠部２０の差込口２１から挿脱可能な、一定の厚みを有する板形状（薄いブロック形状）をしている。すなわち、電池パック６０は厚み方向に垂直な向きで、差込口２１から筐体内の電池収容部へ挿入することができる。電池パック６０は、筐体の電池収容部において、前面および背面のほぼ全域が基板５０と補強板７０とに挟まれて保持される。この構成により、携帯端末装置１の厚み方向の衝撃に対して、電池パック６０を十分な強度で保護することができる。この構造により、厚み方向に新たな衝撃吸収構造を付加する必要がないので、携帯端末装置１の厚みが増すことを回避できる。
【００２１】
ストッパー部品３０は、差込口２１に差し込まれて、電池パック６０の位置を規制する部材である。ストッパー部品３０の詳細は後述する。
【００２２】
キャップ部品４０は、ストッパー部品３０の外側を覆って、外装および差込口２１の防水を行う。キャップ部品４０の詳細は後述する。
【００２３】
＜ストッパー部品の全体構成＞
図２は、ストッパー部品の背面側を上にして見た斜視図である。図３は、ストッパー部品の正面側を上にして見た斜視図である。図４は、ストッパー部品の電池パックと対向する側を示す斜視図である。
【００２４】
ストッパー部品３０は、差込口２１に差し込まれて差込口２１を埋めるベース部３１に、アンテナ３２、係止爪３３、レバー３４、電極３５、連結ピン３６（筐体連結部に相当）、電池押え３７、および、銘柄シール（情報標記部に相当）３８等が設けられて構成される。
【００２５】
ベース部３１は、樹脂から構成され、差込口２１に僅かなクリアランスで挿入可能な形状および寸法に加工されている。
【００２６】
アンテナ３２は、例えば、金属印刷によりベース部３１の外面に形成されている。なお、アンテナ３２としては、ベース部３１の中に配置されるアンテナ片が採用されてもよい。また、アンテナ３２はベース部３１に貼り付けられる構成としてもよい。
【００２７】
電池押え３７は、電池パック６０が収容された際に、電池パック６０に対向して電池パック６０の位置を規制する部材であり、ベース部３１に固定されている。電池押え３７は、係止爪３３およびレバー３４を、ベース部３１の内部へ組み付けるために、ベース部３１と別部品とされている。よって、別の方法で、係止爪３３およびレバー３４が組み付けられれば、電池押え３７とベース部３１とは一体的な構成としてもよい。
【００２８】
＜ストッパー部品と電池パックとの連結構造＞
電池押え３７の電池パック６０に対向する側には、電池パック６０と位置を合わるための突起３７ａと、電池パック６０と連結するための連結片３７ｂ（連結部に相当）とが設けられている。
【００２９】
図５は、電池パックの連結側を手前に向けて見た斜視図である。図６は、ストッパー部品と電池パックの連結部分を示す横断面図である。
【００３０】
電池パック６０のストッパー部品３０に対向する側には、図５に示すように、位置決め用溝６０ａと、連結溝６０ｂとが設けられている。位置決め用溝６０ａおよび連結溝６０ｂは、電池パック６０の厚み方向に沿って窪みが形成されている。
【００３１】
図６に示すように、連結溝６０ｂと連結片３７ｂとには、それぞれ返しが設けられている。そして、これらの返しが互いに引っ掛かって、電池パック６０の挿脱方向に引っ張っても、ストッパー部品３０と電池パック６０との連結が外れないようになっている。一方、電池パック６０とストッパー部品３０とを、電池パック６０の厚み方向にずらすことで、ストッパー部品３０と電池パック６０との連結が解かれるようになっている。
【００３２】
また、特に制限されないが、図５に示すように、電池パック６０の連結溝６０ｂは、電池パック６０の厚み方向の一部（中央、図６の断面の位置）で返しが大きく形成されており、その他の範囲で返しが小さく形成されている。また、特に制限されないが、ストッパー部品の連結片３７ｂは、図４に示すように、厚み方向の一部の範囲にのみ形成されている。さらに、連結片３７ｂと連結溝６０ｂとは、互いに係合させた際に生じるクリアランスが大きめに形成されている。
【００３３】
これらの構成により、ストッパー部品３０が差込口２１から外れて、厚み方向に移動可能となったとき、連結片３７ｂと連結溝６０ｂとの連結が簡単に外れるようになっている。また、図６に示すように、位置決め用の突起３７ａが位置決め用溝６０ａに嵌入することで、ストッパー部品３０を差込口２１から抜く途中で、ストッパー部品３０がぐらついて連結片３７ｂと連結溝６０ｂとの連結が解かれてしまうことが回避されるようになっている。
【００３４】
＜ストッパー部品のアンテナ接点構造＞
図７は、ストッパー部品の接点周辺を示す縦断面図である。
【００３５】
電極３５は、導電性クッション３５ｂと、皿状の板金３５ａとを有している。板金３５ａは、図２および図７に示すように、中央に基板５０の端子に接続する突起が設けられている。板金３５ａは、導電性クッション３５ｂの一面を覆うように導電性の接着剤により接着されている。
【００３６】
電極３５は、図２に示すように、アンテナ３２の一部と接触する位置に設けられている。また、電極３５は、図７に示すように、ストッパー部品３０が固定された状態で、板金３５ａの突起が基板５０の電極に接触するように配置されている。
【００３７】
これらの構成により、ストッパー部品３０が差込口２１に固定された際に、電極３５を介してアンテナ３２と基板５０の回路とが電気的に接続される。
【００３８】
このような電極３５の構成により、ストッパー部品３０を差込口２１へ繰り返し挿脱しても、電極３５の剥離、破損、および、接点不良が生じ難い、確実な接点構造を実現できる。
【００３９】
＜ストッパー部品と差込口との係止構造＞
図８は、ストッパー部品の係止爪の周辺を示す縦断面図である。図９は、ストッパー部品の係止が解かれた状態を示す縦断面図である。
【００４０】
係止爪３３は、図２に示すように、ストッパー部品３０の左右方向の中央で、ストッパー部品３０の背面パネル１０に対向する側に突出するように設けられている。
【００４１】
一方、筐体枠部２０には、係止爪３３が挿入される係止溝２２が設けられている。差込口２１は、縦横の内寸がほぼ一定の奥行きを有し、この奥行部分の途中、すなわち、差込口２１の内壁に、上記の係止溝２２が設けられている。係止溝２２は、特に制限されないが、差込口２１の内壁面から背面パネル１０の裏まで貫通して形成されている。
【００４２】
係止爪３３は、図８に示すように、ストッパー部品３０が電池パック６０を奥まで押し込んだ位置で、係止溝２２に入り込んで、ストッパー部品３０が差込口２１から抜けないように固定される。
【００４３】
係止爪３３は、レバー３４と一体的な構成であり、ベース部３１にバネ（例えばコイルバネ）Ｂを介して組み付けられている。係止爪３３とレバー３４とは、図８に示すように、バネＢによって筐体枠部２０の係止溝２２のある側へ付勢されている。
【００４４】
レバー３４は、ストッパー部品３０の一方の側（装置外方の側）に露出して設けられている。レバー３４の先端には、返し３４ａ（指掛部に相当）が設けられ、この部位に指を掛けてストッパー部品３０を引き出すことが可能になっている。
【００４５】
図９に示すように、レバー３４を指で押し下げることで、係止爪３３がベース部３１の内側へ引き下げられて、係止爪３３と係止溝２２との係止が解かれるようになっている。
【００４６】
＜キャップ部品の詳細＞
図８に示すように、キャップ部品４０は、筐体枠部２０の差込口２１の開口端に嵌合して差込口２１を覆う蓋となる。キャップ部品４０と筐体枠部２０とはリング状のパッキン４１を介して嵌合して、差込口２１の内部を防水する。この構成により、アンテナ接点（電極３５と基板５０の回路との接点等）が防水エリア内に配置され、アンテナ接点が濡れなくなる。
【００４７】
キャップ部品４０の内方（ストッパー部品３０の対向する側）には、図８に示すように、リブ４２が設けられている。このリブ４２は、ストッパー部品３０のレバー３４が下げられたときに干渉する位置に設けられている。
【００４８】
このリブ４２により、ユーザは、キャップ部品４０を嵌める際に、ストッパー部品３０が正常に固定されているか否かを確認することできる。すなわち、係止爪３３が係止溝２２に入ってレバー３４が上昇していない状態で、キャップ部品４０を嵌めようとすると、リブ４２がレバー３４に当たってキャップ部品４０が嵌らない。これにより、ユーザはストッパー部品３０が正常に嵌っていないことを確認できる。
【００４９】
さらに、リブ４２によれば、キャップ部品４０が筐体に嵌っていることで、ストッパー部品３０が筐体の差込口２１から外れやすい状態になることを防止できる。例えば、衝撃等で係止爪３３が押し下げられるような力が加わった場合でも、レバー３４がリブ４２に当たることで、レバー３４および係止爪３３が押し下げられて、係止爪３３と係止溝２２との係合が解かれてしまうことが防止される。
【００５０】
＜ストッパー部品と筐体との連結構造＞
図１０は、実施の形態１のストッパー部品と筐体枠部との連結構造を示す横断面図である。
【００５１】
図２〜図４に示したように、ストッパー部品３０には連結ピン３６が設けられている。連結ピン３６は、ストッパー部品３０の挿脱方向を向いた状態で、ストッパー部品３０の片側に固定されている。連結ピン３６は、図１０に示すように、筐体枠部２０の軸受け２３に通され、且つ、補強板７０の軸保持部７２に一方を囲われることで、筐体枠部２０に保持される。
【００５２】
軸受け２３は、装置の組み立て時に連結ピン３６を通せるように、一方が開放されており、他の部品（実施の形態１では軸保持部７２）が開放された側を囲うことで、連結ピン３６が軸受け２３に軸支されている。図１０に示すように、筐体の軸受け２３の奥方には、連結ピン３６を抜き差し可能な空間２４が確保されている。
【００５３】
連結ピン３６は、軸受け２３に保持された状態で長手方向にスライド自在および軸を中心に回転自在にされる一方、先端に大径部３６ａが設けられて、軸受け２３から抜けない構造を有している。この連結ピン３６の一定範囲のスライドにより、ストッパー部品３０が筐体の差込口２１から挿脱可能となり、且つ、ストッパー部品３０が筐体から完全に切り離されることが防止される。
【００５４】
連結ピン３６は、例えば、金属から構成され、軸受け２３に沿ってスムーズな回転および抜き差しが可能である。また、連結ピン３６は、金属から構成されることで、剛性が高く、経年劣化しにくく、長期間使用しても軸受け２３から抜け難い構造を維持することができる。
【００５５】
＜銘柄シール＞
銘柄シール３８（図３）は、型番などの装置の情報が記され、例えば、メンテナンスの際などにメーカーのデータベースから装置の仕様を呼び出す際に使用される。このため、銘柄シール３８を有する部品は、装置本体から切り離される構成にはできない。
【００５６】
上記の連結ピン３６を介したストッパー部品３０の連結構造によれば、銘柄シール３８が貼られたストッパー部品３０を筐体から分離できない構成とすることができる。
【００５７】
さらに、本実施の形態の携帯端末装置１のように、銘柄シール３８を貼るのに適した部位、すなわち、通常使用時に筐体外面から隠れるような部位が少ない構成では、銘柄シール３８を貼る部位がストッパー部品３０に限られる。よって、上記の連結ピン３６の構成は非常に有用である。
【００５８】
＜実施の形態１の効果＞
以上のように、実施の形態１の携帯端末装置１によれば、装置の下端に電池パック６０を挿脱可能な差込口２１が設けられている。よって、装置正面および背面に電池パック６０を取り出し可能とする構成が不要となり、装置正面および背面のデザイン上の制約がなくなる。
【００５９】
また、実施の形態１の携帯端末装置１によれば、ストッパー部品３０が差込口２１に差し込まれることで、電池パック６０が電池収容部の奥まで挿入された状態で、電池パック６０の位置を規制する。すなわち、電池パック６０は、上端が、補強板７０の保持枠７１の端に当接し、下端が、ストッパー部品３０に当接して位置決めされる。さらに、ストッパー部品３０は、電池パック６０を位置決めした状態で、差込口２１に固定される。このような構成により、装置の上下方向の衝撃に耐えて、電池パック６０を強固に保持することができる。
【００６０】
さらに、ストッパー部品３０は、差込口２１の内壁に係止されて固定されるので、筐体の厚みを増すことなく、ストッパー部品３０を強固に固定することができる。すなわち、電池パック６０を装置下端から挿入する構造を設けた場合には、電池パック６０の差込口２１に電池パック６０が通る空洞が発生する。よって、この空洞部分を利用してストッパー部品３０を固定することで、装置の厚みを増すことなく、ストッパー部品３０の強固な固定構造を実現できる。
【００６１】
ここで、例えば、差込口２１の内壁でなく、差込口２１の手前の端面に電池パック６０又はストッパー部品３０の位置を規制する係止部品を設ける構造について検討してみる。この構造では、差込口２１を囲って差込口２１を形成する部材の肉厚を厚くして、肉厚の厚い部分に係止部品を高強度に留める必要がある。その結果、装置の厚みが増すことになる。本実施の形態では、差込口２１を形成する部材の肉厚が薄くても、係止爪３３の横幅を広くすれば、非常に高い強度でストッパー部品３０を係止することができる。よって、本実施の形態１では、装置の厚みを増すことなく、高強度に電池パック６０を保持できる。
【００６２】
また、実施の形態１の携帯端末装置１によれば、ストッパー部品３０にアンテナが設けられている。よって、電池パック６０が通る差込口２１の空間を有効に活用して、装置の高密度化を図ることができる。
【００６３】
また、実施の形態１の携帯端末装置１によれば、ストッパー部品３０が電池パック６０と連結しているので、ストッパー部品３０を引き出すことで、電池パック６０を電池収容部から引き出すことができる。よって、電池パック６０の取り出しが容易となる。また、この連結は、上述したように容易に外すことができるため、電池パック６０の取り出しが更に容易となる。
【００６４】
また、実施の形態１の携帯端末装置１によれば、ストッパー部品３０のレバー３４を押し下げて、ストッパー部品３０と筐体との係止を解くことができ、更に、レバー３４に指を掛けて、ストッパー部品３０を差込口から引き出すことができる。よって、電池パック６０の取り出しが更に容易となる。
【００６５】
（キャップ部品の変形例）
図１１は、変形例におけるキャップ部品とストッパー部品との分解斜視図である。図１２は、変形例におけるキャップ部品の固定構造を示す斜視図である。図１３は、変形例におけるキャップ部品の連結ピンの収容状態を示す横断面図である。
【００６６】
この変形例は、キャップ部品４０に連結ピン４３を設けて、キャップ部品４０とストッパー部品３０とが互いに可動性を有して連結される構造としたものである。
【００６７】
図１１に示すように、変形例のキャップ部品４０には、片側に連結ピン４３が設けられている。連結ピン４３は、例えばエラストマーにより構成され、先端が抜け防止用に膨んだ形状を有している。
【００６８】
図１２に示すように、変形例のストッパー部品３０には、片側（連結ピン３６が設けられている側）に、連結ピン４３を通す軸受け３９が設けられている。
【００６９】
軸受け３９には、連結ピン４３を通す穴が設けられており、連結ピン４３の先端を押し入れることで、連結ピン４３を通すことができる。
【００７０】
図１３に示すように、変形例の筐体では、ストッパー部品３０の連結ピン３６が通される空間２４に、キャップ部品４０の連結ピン４３も抜き差し可能に通される。
【００７１】
この変形例によれば、キャップ部品４０がストッパー部品３０から切り離されない構造なので、キャップ部品４０の紛失を防ぐことができる。
【００７２】
また、キャップ部品４０は、ストッパー部品３０に連結される構造なので、電池パック６０の挿脱の際に、キャップ部品４０が邪魔になることがない。
【００７３】
（実施の形態２）
図１４は、実施の形態２のストッパー部品の周辺を示す横断面図である。図１５は、実施の形態２のストッパー部品と電池パックとの係合部分を示す横断面図である。図１６は、実施の形態２のストッパー部品の係止爪の周辺を示す縦断面図である。図１７は、実施の形態２のストッパー部品の係止が解かれた状態を示す縦断面図である。
【００７４】
実施の形態２の携帯端末装置は、実施の形態１のキャップ部品４０を省いて、ストッパー部品３０Ａが装置外部に露出する構成としたものである。実施の形態１と同様の構成要素については、同一符号を付して説明を省略する。
【００７５】
図１４、図１６、図１７に示すように、ストッパー部品３０Ａは、筐体に固定された際に、筐体枠部２０の外周面に沿った位置で固定される。ストッパー部材３０Ａのベース部３１Ａには、筐体枠部２０の差込口２１の入口で、筐体枠部２０に当たって、それより奥方に入り込むのを防ぐフランジ部が設けられている。
【００７６】
また、実施の形態２のストッパー部品３０Ａには、差込口２１の内壁面に押し当てられて筐体内部を止水するリング状のパッキン３７ｃ（図１６，図１７を参照）が設けられている。この配置にパッキン３７ｃを設けていることで、携帯端末装置の装置底面部の両サイドに大きなＲ形状を付けても、防水用のパッキン３７ｃを一つの平面内に収まる構成とすることができる。すなわち、装置にデザイン的な制約を課すことなく容易に防水性を保つことができる。
【００７７】
実施の形態２のストッパー部品３０Ａにおいては、レバー３４Ａが装置の外部へ露出する構成になっている。但し、レバー３４Ａの先端は、装置下端からはみ出さない長さに形成するとよい。また、ストッパー部品３０Ａには、レバー３４Ａの部分のみ外部から隠すシャッターが設けられてもよい。
【００７８】
実施の形態２の携帯端末装置によれば、キャップ部品を省いて、部品点数を減らすことができる。
【００７９】
（実施の形態３）
図１８は、実施の形態３のストッパー部品を、正面側を上にして見た斜視図である。図１９は、実施の形態３の電池引き出しフックを、正面側を上にして見た斜視図である。図２０は、実施の形態３のストッパー部品の接点周辺を示す縦断面図である。図２１は、実施の形態３のストッパー部品の電池引き出しフック周辺を示す横断面図である。
【００８０】
実施の形態３の携帯端末装置は、実施の形態１の連結溝６０ｂと連結片３７ｂ、連結ピン３６を省いて、電池引き出しフック３００を設ける構造としたものである。実施の形態１と同様の構成要素については、同一符号を付して説明を省略する。
図１８、図１９、図２０に示すように、小径軸３０１は大径軸３０２に保持され長手方向にスライド自在および軸を中心に回転自在にされる一方、大径軸３０２に小口部３０２ａが設けられて、軸接点部３０１ａが当り、抜けないようになっている。大径軸３０２の先端には電池引掛け部３０３が設けられている。小径軸３０１は、ベース部３１Ｂに保持されている連結部３０４によって保持されている。小径軸３０１、軸接点部３０１ａ、大径軸３０２、連結部３０４は導電性の部材、例えば金属で構成されている。
【００８１】
図１８、図２０に示すように、連結部３０４、小径軸３０１、大径軸３０２、電極５０１を介してアンテナ３２Ｂと基板５０Ｂの回路とが電気的に接続されている。大径軸３０２は長手方向のみスライド可能に軸受け２０１に保持されているので、ベース部３１Ｂの挿脱時でも電極５０１の接触圧を一定に保つことができる。
図２１に示すように、大径軸３０２および電池引掛け部３０３は、軸受け２０１に保持された状態で長手方向にスライド自在な一方、電池引掛け部３０３が抜け止部２０２に当たり、ストッパー部品３０Ｂが筐体から完全に切り離されることが防止される。
【００８２】
ベース部３１Ｂを差込口２１Ｂから引き出すことで、電池引掛け部３０３が電池パック６０を引き出し、ベース部３１Ｂを連結部３０４を中心に回転させることで電池パック６０を携帯端末装置１Ｂから取り外せる。
【００８３】
＜実施の形態３の効果＞
また、実施の形態３の携帯端末装置によれば、電極５０１の接触圧を一定に保つことができ、アンテナ３２Ｂと基板５０Ｂの回路との導通が確実に得られる。
実施の形態３の携帯端末装置によれば、電池パック６０に特別な形状が不要となり、電池パック６０の形状によらず、電池パックを携帯端末装置から挿脱することができる。
【００８４】
以上、本発明の各実施の形態について説明した。
【００８５】
なお、上記実施の形態において具体的に示した細部構造は、発明の趣旨を逸脱しない範囲で適宜に変更可能である。例えば、上記実施の形態においては、ストッパー部品３０，３０Ａと電池パック６０との連結を、鍵状に係合する連結片３７ｂおよび連結溝６０ｂにより実現する構成を例にとって説明した。しかしながら、これら連結手段としては、例えば、電池パック６０に溝もしくは窪み穴を設ける一方、ストッパー部品に柔軟性を有する圧入リブを設け、圧入リブが溝もしくは窪み穴に圧入されることで、両者が連結される構造を適用してもよい。
【００８６】
また、上記実施の形態では、装置前面に表示パネル８０が設けられ、装置背面に背面パネル１０が設けられる構成を例とって説明したが、本発明は、この構成に制限されるものではない。
【産業上の利用可能性】
【００８７】
本発明は、携帯電話機、タブレット端末などの携帯端末装置に利用できる。
【符号の説明】
【００８８】
１    携帯端末装置
１０    背面パネル
２０    筐体枠部
２１    差込口
２２    係止溝
２３    軸受け
３０    ストッパー部品
３１    ベース部
３２    アンテナ
３３    係止爪
３４    レバー
３５    電極
３６    連結ピン
３７    電池押え
３７ｂ    連結片
３８    銘板シール（情報標記部）
３９    軸受け
４０    キャップ部品
４２    リブ
４３    連結ピン
５０    基板
６０    電池パック
７０    補強板
８０    表示パネル
２０１    軸受け
２０２    抜け止部
３００    電池引き出しフック
３０１    小径軸
３０２    大径軸
３０３    電池引掛け部
３０４    連結部
５０１    電極
【図１】
2014209425.tif 000003
【図２】
2014209425.tif 000004
【図３】
2014209425.tif 000005
【図４】
2014209425.tif 000006
【図５】
2014209425.tif 000007
【図６】
2014209425.tif 000008
【図７】
2014209425.tif 000009
【図８】
2014209425.tif 000010
【図９】
2014209425.tif 000011
【図１０】
2014209425.tif 000012
【図１１】
2014209425.tif 000013
【図１２】
2014209425.tif 000014
【図１３】
2014209425.tif 000015
【図１４】
2014209425.tif 000016
【図１５】
2014209425.tif 000017
【図１６】
2014209425.tif 000018
【図１７】
2014209425.tif 000019
【図１８】
2014209425.tif 000020
【図１９】
2014209425.tif 000021
【図２０】
2014209425.tif 000022
【図２１】
2014209425.tif 000023